(57)【要約】【課題】より正確で簡易に証明写真をプリントする写真撮影装置を提供する。【解決手段】写真撮影装置１は、デジタルカメラ３０で撮影した顧客の顔を含む画像を表示部４０に表示し、その表示された画像における顔の両目位置の入力を操作部６０から受け付けて、その入力に基づいた顔位置に応じて写真を生成する元の画像としての可否を判定する。【選択図】図２
2006311276.tif 000002
【特許請求の範囲】
【請求項１】
顧客による操作指示に従って顧客の顔を含む画像を撮影する撮影手段を有し、当該撮影手段から撮影された撮影画像に基づいて写真を生成する写真撮影装置において、
前記撮影画像を表示する表示手段と、
前記表示された撮影画像から顧客の顔位置を指定する指定手段と、
前記指定された顧客の顔位置及び又は前記撮影画像に対する前記指定された顧客の顔位置の傾きに応じて前記写真を生成する撮影画像としての可否を判定する判定手段と、
を備えたことを特徴とする写真撮影装置。
【請求項２】
前記指定手段は、前記表示された撮影画像における顧客の顔の少なくとも２つ以上の特徴点を指示して顧客の顔位置を指定することを特徴とする請求項１に記載の写真撮影装置。
【請求項３】
前記指定された顧客の顔位置及び／又は前記撮影画像に対する前記指定された顧客の顔位置の傾きに応じて撮影画像から写真を生成する画像を抽出及び／又は補正する画像処理手段を更に備えたことを特徴とする請求項１又は２に記載の写真撮影装置。
【請求項４】
前記判定手段は、前記画像処理手段において顧客の顔に応じて撮影画像から写真を生成する画像を抽出する際に、当該抽出する画像領域が撮影画像の領域からはみ出るか否かを判定することを特徴とする請求項１〜３のいずれか一項に記載の写真撮影装置。
【請求項５】
前記撮影画像における顧客の体の特徴点から体位置を検出する検出手段を更に備え、
前記判定手段は、前記指定された顧客の顔位置と前記検出手段による顧客の体位置とに基づいた顧客の顔の傾きに応じて前記写真を生成する撮影画像としての可否を判定することを特徴とする請求項１〜４のいずれか一項に記載の写真撮影装置。
【請求項６】
前記指定された顧客の顔位置及び／又は前記撮影画像に対する前記指定された顧客の顔位置の傾きに応じて前記撮影手段における撮影位置を調整する調整手段と、
前記調整後に顧客の顔を含む画像を再撮影する再撮影手段と、
を更に備えたことを特徴とする請求項１〜５のいずれか一項に記載の写真撮影装置。
【請求項７】
前記指定された顧客の顔位置及び／又は前記撮影画像に対する前記指定された顧客の顔位置の傾きに応じて顧客に顔位置のずれ及び／又は顔位置の傾きを警告する警告手段を更に備えることを特徴とする請求項１〜６のいずれか一項に記載の写真撮影装置。
【発明の詳細な説明】
【技術分野】
【０００１】
本発明は、顧客による操作指示に従って顧客の顔を含む画像を取得する撮影する撮影手段を有し、当該撮影手段から取得された撮影画像に基づいて写真を生成する写真撮影装置に関する。
【背景技術】
【０００２】
従来から、免許証やパスポート、履歴書等を貼付するような証明写真を撮影するためのボックス型の写真撮影装置が普及しており、街頭や店頭に配置されている。このような写真撮影装置では、撮影ボックス内に顧客が入り、ガイドに従って顧客自ら撮影操作を行なうことにより、簡単かつ短時間でプリント写真を得ることができる。
【０００３】
このプリント写真では、特に証明写真などにおいて、方形状などの予め定められた所定の領域の中心近傍に顧客の顔が撮影された正立像のプリントを必要とする場合がある。この正立像をプリントする場合においては、撮影領域の所定位置に顧客を案内して撮影する方法と、撮影装置側で撮影方向の調整や撮影後の画像の調整を行なう方法とがある。
【０００４】
例えば、特許文献１には、撮影領域で顧客の鼻梁と目とを配置すべき位置を案内して撮影する技術が示されている。また、特許文献２には、撮影した画像から顧客の両目を黒目領域を抽出することで検出し、その両目を結ぶ線と基準線との傾きから顔の傾きを算出して補正する技術が示されている。
【特許文献１】特開２００３−２１８５９号公報
【特許文献２】特開２００３−３１９１６９号公報
【発明の開示】
【発明が解決しようとする課題】
【０００５】
しかしながら、上述した方法では、より正確な証明写真を手軽に取得するには十分とは言えなかった。特に、目を自動で検出する場合は、顧客への負担を軽減することが可能ではあるが、顧客が着用する眼鏡の影響などにより、検出精度が落ちてしまうなどの問題があり、より正確な証明写真をプリントする写真撮影装置の開発が望まれていた。
【０００６】
本発明の課題は、より正確で簡易に証明写真をプリントする写真撮影装置を提供することにある。
【課題を解決するための手段】
【０００７】
上記課題を解決するために、請求項１に記載の発明は、顧客による操作指示に従って顧客の顔を含む画像を撮影する撮影手段を有し、当該撮影手段から撮影された撮影画像に基づいて写真を生成する写真撮影装置において、前記撮影画像を表示する表示手段と、前記表示された撮影画像から顧客の顔位置を指定する指定手段と、前記指定された顧客の顔位置及び又は前記撮影画像に対する前記指定された顧客の顔位置の傾きに応じて前記写真を生成する撮影画像としての可否を判定する判定手段と、を備えたことを特徴とする。
【０００８】
請求項２に記載の発明は、請求項１に記載の発明において、前記指定手段は、前記表示された撮影画像における顧客の顔の少なくとも２つ以上の特徴点を指示して顧客の顔位置を指定することを特徴とする。
【０００９】
なお、ここでいう「特徴点」とは、頭部前面部分である顔の一般的な構成要素のことであり、両目、鼻、両耳、口、頭頂部、顎部などである。
【００１０】
請求項３に記載の発明は、請求項１又は２に記載の発明において、前記指定された顧客の顔位置及び／又は前記撮影画像に対する前記指定された顧客の顔位置の傾きに応じて撮影画像から写真を生成する画像を抽出及び／又は補正する画像処理手段を更に備えたことを特徴とする。
【００１１】
請求項４に記載の発明は、請求項１〜３のいずれか一項に記載の発明において、前記判定手段は、前記画像処理手段において顧客の顔に応じて撮影画像から写真を生成する画像を抽出する際に、当該抽出する画像領域が撮影画像の領域からはみ出るか否かを判定することを特徴とする。
【００１２】
請求項５に記載の発明は、請求項１〜４のいずれか一項に記載の発明において、前記撮影画像における顧客の体の特徴点から体位置を検出する検出手段を更に備え、前記判定手段は、前記指定された顧客の顔位置と前記検出手段による顧客の体位置とに基づいた顧客の顔の傾きに応じて前記写真を生成する撮影画像としての可否を判定することを特徴とする。
【００１３】
なお、ここでいう「体の特徴点」とは、頭部から下の一般に知られた特徴的な体の構成要素のことであり、首、肩位置、脇位置、臍位置などの特定部位や、首筋などといった肩や首の部分における体の輪郭などである。
【００１４】
請求項６に記載の発明は、請求項１〜５のいずれか一項に記載の発明において、前記指定された顧客の顔位置及び／又は前記撮影画像に対する前記指定された顧客の顔位置の傾きに応じて前記撮影手段における撮影位置を調整する調整手段と、前記調整後に顧客の顔を含む画像を再撮影する再撮影手段と、を更に備えたことを特徴とする。
【００１５】
請求項７に記載の発明は、請求項１〜６のいずれか一項に記載の発明において、前記指定された顧客の顔位置及び／又は前記撮影画像に対する前記指定された顧客の顔位置の傾きに応じて顧客に顔位置のずれ及び／又は顔位置の傾きを警告する警告手段を更に備えることを特徴とする。
【発明の効果】
【００１６】
請求項１に記載の発明によれば、顧客の顔位置に基づいた写真を生成する画像としての可否を正確に判定することができ、より正確で簡易に写真をプリントすることを可能にする。
【００１７】
請求項２に記載の発明によれば、両目、鼻、両耳、口、頭頂部、顎部などの特徴点を指示する簡単な操作で実施でき、さらに、当該特徴点を元により正確な写真のプリントを可能にする。
【００１８】
請求項３に記載の発明によれば、顧客の像が正立した画像を得ることができ、より好適な写真のプリントを可能にする。
【００１９】
請求項４に記載の発明によれば、撮影範囲における顧客の顔位置が不適な場合を検出することができるため、より正確な写真のプリントを可能にする。
【００２０】
請求項５に記載の発明によれば、顧客の体に対する顧客の顔の傾き具合から判定するため、直立した顧客の像を確実にプリントすることができ、より好適な写真のプリントを可能にする。
【００２１】
請求項６に記載の発明によれば、顧客の顔位置に基づいて撮影位置を正確に調整して再撮影することができ、より簡易に正確な写真をプリントすることを可能にする。
する。
【００２２】
請求項７に記載の発明によれば、顧客に的確に警告することができ、より正確な写真をプリントすることを可能にする。
【発明を実施するための最良の形態】
【００２３】
以下、図を参照して本発明の実施の形態を詳細に説明する。
先ず、本発明の構成を図１、図２、図７を参照して説明する。図１は、写真撮影装置１の構成の概略を示す図であり、図２は、写真撮影装置１の内部構成を模式的に示す図であり、図７は、予め格納されるプリント規格を例示する図である。
【００２４】
写真撮影装置１は、図１に示すように、ボックス型に形成されており、その外壁にはプリントされた写真を取り出す取出口７１が設置されており、ボックス内部（以下、撮影室Ｒという）には、被撮影者としての顧客Ｍが座れるように椅子Ｃが回転可能に設置されている。なお、椅子Ｃは回転により昇降可能に構成されている。また、顧客Ｍの上方、正面、背面にはそれぞれ照明用のストロボ２０ａが設置されており、更に顧客Ｍの正面には、操作手順やその他撮影に関する操作画面、撮影画像等を表示する表示部４０、入室センサＳ、撮影料金を精算するためのコインメック５０が設置されている。上記構成により、写真撮影装置１は、撮影室Ｒ内において被撮影者である顧客の顔を含む画像を撮影する。
【００２５】
写真撮影装置１は、図２に示すように、本体部１０、ストロボユニット２０、デジタルカメラ３０、表示部４０、コインメック５０、操作部６０、プリンタ部７０、通信部８０、及び入室センサＳを備えて構成される。
【００２６】
本体部１０は、制御部１１０、Ｉ／Ｏユニット１２０、ＲＯＭ１３０、ＲＡＭ１４０、ＤＶＤ１５０、Ｉ／Ｆ１６０から構成されており、Ｉ／Ｏユニット１２０を介してストロボユニット２０、コインメック５０、スピーカ５５、操作部６０、に接続されるとともに、Ｉ／Ｆ１６０を介してプリンタ部７０に接続されている。また、制御部１１０、ＲＯＭ１３０、ＲＡＭ１４０、ＤＶＤ１５０の協働により写真撮影装置１を制御が可能な構成である。
【００２７】
制御部１１０は、ＲＯＭ１３０に記憶されているシステムプログラムや各種データ、本発明に係る撮影プリント処理プログラム等のプログラムやデータを読み出してＲＡＭ１４０に展開し、当該プログラムに従って各部の動作を集中制御する。また、制御部１１０は、画像処理プログラムとの協働により、撮影画像に対し、階調変換処理、鮮鋭性強調処理、トリミング（撮影画像から所定の画像領域の抽出）、サイズ調整等の各種画像処理を施す画像処理機能を有している。
【００２８】
制御部１１０が撮影プリント処理プログラムを実行して行なう撮影プリント処理は、操作画面及びアナウンス音声のデータをＤＶＤ１５０から読み出して順次操作画面を表示部４０に表示させるとともに、表示中の操作画面に応じたアナウンス音声をスピーカ５５から出力させる。また、操作画面においてプリント条件が選択操作されると、当該選択からプロント条件の情報をＲＡＭ１４０に一時記憶させて設定する。
【００２９】
次いで、プリント条件の設定の後、当該条件に応じた金額を表示部４０に表示することでコインメック５０に投入される貨幣による精算処理を行ない、通常の写真処理である顧客を撮影する処理により顧客の顔画像を取得して、プリント条件に応じたトリミングや合成処理の後のプリント候補画像を表示部４０に表示する。そして、操作部６０から入力される指示により、選択された画像に対してプリント出力用の色彩調整や鮮鋭化などの画像処理を施してプリントデータを生成し、プリンタ部７０に出力する。
【００３０】
通常の写真処理では、撮影指示の操作がなされた場合、ストロボユニット２０及びデジタルカメラ３０を制御して顧客が撮影されると、撮影回毎に撮影画像の画像データが生成され、ＲＡＭ１４０内に画像データが一時的に記憶される。そして撮影画像に対して撮影回毎に表示部４０に表示される撮影結果表示用にサイズ調整及びトリミング等の所定の画像処理が施され、その処理画像（結果表示画像）が生成されるとともに、撮影画像に対して画像処理を施し、顔の認識や体の輪郭を検出し、予め設定された判断基準に適合するか否かの判定処理として、目つぶり、顔の曲がり、顔の向き、肩の曲がり、背景に対する顔の大きさ、背景の影の有無等の撮影画像に対する各種判定処理を行ない、その判定結果に基づく判定結果情報としての注意情報をメッセージとして結果表示画像と共に表示部４０に表示される。
【００３１】
通常の写真処理における判定処理としては、特開平８−６３５９７号公報記載の顔抽出法や公知の顔及び輪郭認識処理等を用いることができ、目つぶりの判定、背景に対する顔の大きさとの比較による顔の大きさの判定、体の輪郭を検出することによる肩位置の特定や背景における陰の有無の判定等を行なう。
【００３２】
また、メッセージとしては、「Ｏ．Ｋ．」、「目は閉じていませんか？」、「顔は曲がっていませんか？」、「正面を向いていますか？」、「カメラに近づきすぎて、顔が大きくなっていませんか？」、「フードのついた服で背景に影が出ていませんか？」等の、顧客に対して撮影時の問題箇所に対する注意喚起を促す内容のメッセージであることが好ましい。なお、メッセージ内容を音声出力させてもよい。
【００３３】
Ｉ／Ｏユニット１２０は、本体部１０、ストロボユニット２０、スピーカ５５、操作部６０との間で情報のやり取りを仲介するインターフェイスであり、制御部１１０からの制御信号をストロボユニット２０、コインメック５０に送信するとともに操作部６０からの操作信号を制御部１１０に送信する。また、制御部１１０からの音声出力信号をスピーカ５５に出力することで音声出力を行なう。
【００３４】
ＲＯＭ１３０は、システムプログラムの他、プリント処理プログラム、撮影処理プログラム等の各種制御プログラム、撮影プリント処理プログラム、撮影処理プログラム及び各プログラムで処理処理されたデータ、写真を生成する条件として写真の種類に応じたプリント規格に関するデータ等を記憶する。
【００３５】
プリント規格に関するデータは、パスポート・履歴書・アミューズメント用などの用途毎の写真種や顧客の年齢毎などの顧客に関する情報のルックアップテーブルとして格納される。各テーブルには、頭頂や顎が印字範囲からはみ出るなどの禁則に関するデータの他に、図７に示すように、プリント出力する写真Ｐの大きさを示す全幅Ａ、全長Ｂ、鼻梁や両目の中心などで規定される顔の横方向に関する中心位置を示す位置ＡＡの許容範囲、両目により規定される顔の垂直位置を示す長さＢＢの許容範囲、左右の耳の間などで規定される顔幅である長さＣＣの許容範囲、又は頭頂から顎により規定される顔の縦の長さである長さＤＤの許容範囲などが格納される。なお、全幅Ａ、全長Ｂなどのデータではプリント印刷する印字領域などの大きさやピクセル数以外に全幅Ａ又は全長Ｂに対する割合などがある。このプリント規格に関するデータにより、印刷領域における顔画像の割合や位置などの条件を指定することが可能となる。
【００３６】
ＲＡＭ１４０は、制御部１１０によって実行される各種プログラム及びこれらプログラムに係るデータを一時的に記憶するワークエリアを形成する。また、ＲＡＭ１４０は、デジタルカメラ３０により撮影された撮影画像の画像データを一時的に記憶するエリアを有する。
【００３７】
ＤＶＤ１５０は、デジタルカメラ３０により撮影された撮影画像の画像データを記憶するとともに、制御部１１０により各種画像処理が施された処理画像の画像データを記憶する。また、料金案内、プリント条件の設定等の各種操作画面の画像データを記憶するとともに、各種操作画面におけるガイドアナウンス音声の音データを記憶している。
【００３８】
Ｉ／Ｆ１６０は、本体部１０と、プリンタ部７０との間で情報のやり取りを仲介するインターフェイスであり、制御部１１０で生成されたプリントデータを本体部１０からプリンタ部７０へ送信する。
【００３９】
ストロボユニット２０は、制御部１１０からの発光指示の制御信号に従って、撮影室内の各部に設置されたストロボ２０ａの発光タイミングや発光量を制御するものであり、ストロボ２０ａはストロボユニット２０の制御に応じて発光を行なう。
【００４０】
デジタルカメラ３０は、シャッター、光学レンズ、ＣＣＤ（Charge  Coupled  Device）等の撮像素子、Ａ／Ｄ変換部及びステッピングモータと写真撮影装置１に対して可動に接合する接合部分とにより撮影方向を調整する駆動調整部等から構成され、本体部１０からの指示により駆動調整部で調整された撮影方向から光学レンズを介して入力される被写体像を撮像素子により光電変換して画像信号を生成する。そして、Ａ／Ｄ変換部によりアナログ画像信号からデジタル画像データを得て、当該デジタル画像データを本体部１０に出力する。なお、デジタルカメラ３０に代えて動画を記録可能なデジタルビデオカメラを適用することとしてもよい。
【００４１】
表示部４０は、ＬＣＤ（Liquid  Crystal  Display）等を備えて構成され、制御部１１０の指示に従って操作画面を表示したり、撮影画像の確認表示を行なう。
【００４２】
コインメック５０は、硬貨や紙幣の入金口、釣銭返金口等を備えた金銭登録機であり、入金口から入金された金額と規定の撮影料金とから釣銭金額を算出し、釣銭金額に応じた硬貨又は紙幣を釣銭返却口に排出する。
【００４３】
スピーカ５５は、入力される音データに基づいてガイドアナウンス音声等を出力する。
【００４４】
操作部６０は、表示部４０と一体型に構成されるタッチパネル、撮影室の内壁に設けられた選択ボタン、撮影ボタンといった各種機能ボタン等のハードキーを備えて構成され、押下されたボタンに対応する操作信号を制御部１１０に出力する。
【００４５】
プリンタ部７０は、制御部１１０から入力されるプリントデータに基づいてプリント出力を行なう。プリンタ部７０のプリント方式としては、色材を昇華、転移させて画像を形成する昇華型熱転写方式を適用することとするが、記録媒体と受像材料とを重ね合わせて熱を加えることによって記録媒体の記録層を受像材料の受像層に転移させて画像を形成する溶解転写記録方式を適用することとしてもよいし、電子写真方式、インクジェット方式やその他のプリント方式であっても良い。また、銀塩写真像を形成するものであっても良い。
【００４６】
通信部８０は、ネットワークインターフェイスカード、モデムなどの通信用インターフェイスから構成され、特に図示しない通信ネットワーク上の外部機器と相互に情報の送受信を行なう。例えば、他の写真撮影装置やプリンタに画像データを転送してプリント出力させたりする。
【００４７】
入室センサＳは、顧客Ｍが撮影室Ｒに入室したことを検知するものであり、顧客Ｍの入室を検知するとその検知信号を制御部１１０に入力する。入室センサＳとしては、発光器と受光器とからなる光学式センサ等が適用可能である。
【００４８】
次に、写真撮影装置１の制御部１１０が行なう本実施の形態の動作を図３〜図６を参照して説明する。図３は、制御部１１０により実行される撮影プリント処理を説明するフローチャートであり、図４は、撮影処理を説明するフローチャートであり、図５（ａ）は、顧客を撮影した撮影画像を例示する図であり、図５（ｂ）は、顧客の目を指定して顔位置及び／又は傾きの検出を例示する図であり、図６（ａ）は、顧客の体に対する顔の傾きの検出を例示する図であり、図６（ｂ）は、写真を生成する範囲の抽出時においてはみ出る範囲を例示する図である。
【００４９】
先ず、制御部１１０は、図３に示すように、入室センサＳからの検出信号に基づいて撮影室における顧客の有無を検出し（ステップＳ１１）、顧客が撮影室に入室するまでは待機する。
【００５０】
撮影室への顧客の入室を検出すると（ステップＳ１１：ＹＥＳ）、パスポート用、履歴書用、又はアミューズメント用など、どのような種類の写真を何枚プリントするかを問い合わせる画面を表示部４０に表示して操作部６０からの操作指示による写真種の選択が受け付けられ（ステップＳ１２）、その選択された写真種や枚数などに応じた料金の精算が行なわれて（ステップＳ１３）、撮影処理が行なわれる（ステップＳ１４）。
【００５１】
ここで、撮影処理（ステップＳ１４）について、詳細に説明する。
制御部１１０は、図４に示すように、撮影処理に移行するとデジタルカメラ３０から撮影室Ｒ内における顧客の顔を含む撮影を行ない（ステップＳ２１）、撮影された顧客の顔を含む撮影画像を表示部４０に表示する（ステップＳ２２）。このステップＳ２２においては、図５（ａ）に示すように、撮影された被写体Ｈ（顧客）の顔を含む撮影範囲Ｗが表示され、顧客の座り具合などで生じる被写体Ｈとデジタルカメラ３０との相対的な位置関係のずれが撮影範囲Ｗに対して斜めに傾いて撮影された被写体Ｈとして表示される。
【００５２】
次いで、表示部４０に表示される撮影画像における顧客の両目位置が操作部６０から指定されることで顧客の顔位置及び撮影画像に対するその顔位置の傾きが検出される（ステップＳ２３）。なお、ここにおける両目位置の指定は、顔の配置を特定するために少なくも２点以上の顔の前面における身体的な特徴点を指定する構成であれば、両耳、鼻、口、頭頂部、顎部などであっても良い。好適な指定としては両目、両耳、頭頂部と顎部などの対称的な２点を指摘する構成が良く、さらに好適には両目の黒目部分など、指定領域が狭く限定される特徴点が好ましい。
【００５３】
ステップＳ２３においては、図５（ｂ）に示すように、撮影範囲Ｗにおける被写体Ｈの右眼Ｅ１、左眼Ｅ２の２点が指定されることで、眼鏡の有無などに影響されない被写体Ｈの正確な顔位置を検出ことが可能となる。さらに、指定された右眼Ｅ１、左眼Ｅ２位置と、前述した通常の写真処理における顔の認識や体の輪郭の検出結果と、前述したプリント規格に関するデータとに基づいたプリントする領域であるトリミング枠Ｔを抽出する。
【００５４】
また、ステップＳ２３における顔位置の傾きの検出は、撮影範囲Ｗの外枠部分と右眼Ｅ１、左眼Ｅ２を通る直線の交点による線分Ｙ−Ｙ’と、その外枠と直交する線分Ｘ−Ｘ’とのなす角度αを算出して行なう。なお、角度αの算出は、撮影範囲Ｗにおける直交座標系の右眼Ｅ１、左眼Ｅ２の座標から逆三角関数を用いた公知の方法で行なう。
【００５５】
ステップＳ２３において顧客の顔位置及び撮影画像に対するその顔位置の傾きが検出された後、その顔位置や傾き具合に基づいてデジタルカメラ３０における撮影方向の調整や上記プリントする領域であるトリミング枠Ｔの抽出における抽出位置の調整により、顧客の顔が正立するとともにプリント規格などの条件を満たす写真を生成するための画像が得られるか否かの判定が行なわれ（ステップＳ２４）、調整をしても得られないと判定された場合は（ステップＳ２４：ＮＯ）顧客に適正な顔位置で撮影されなかったため再撮影を行なう旨の警告表示が表示部４０で行なわれ（ステップＳ２５）、前述の角度αやトリミング枠Ｔなどに基づいてデジタルカメラ３０における撮影方向の調整などの位置補正が行なわれて（ステップＳ２６）、ステップＳ２１へ戻る。このステップＳ２１へ戻っての撮影が再撮影手段としての撮影である。
【００５６】
ステップＳ２４において写真を生成するための画像が得られると判定された場合は、ステップＳ１２において選択された写真種と特に図示しない入力処理により予め操作部６０から入力された顧客に関する情報とに応じたプリント規格を満たす印刷領域（前述のトリミング枠Ｔ）が、撮影画像を元に写真を生成する画像領域の抽出及び／又はサイズ調整や抽出に伴う補正である画像処理により取得され（ステップＳ２７）、プリント出力用の色彩調整や鮮鋭化などの画像処理が行なわれて（ステップＳ２８）、終了する。
【００５７】
ステップＳ２４における判定は、具体的には、角度αがプリント規格を満たす印刷領域（前述のトリミング枠Ｔ）を抽出可能な範囲内であるかを判定して行なうが、図６（ａ）に示すように、公知の画像認識技術により顧客の輪郭から両肩位置を検出して、その検出された両肩位置に基づいた線分Ｚ−Ｚ’と前述の線分Ｙ−Ｙ’とのなす角が所定の範囲内であり、平行状態であるか否かを判定してもよい。この場合は、撮影範囲Ｗにおける顧客の顔位置及び傾き具合だけでなく、顧客の体に対する顔の傾きにおいても警告して撮り直すことが可能となる。また、ステップＳ２４における判定は、角度αがデジタルカメラ３０の駆動調整部により調整可能な範囲内であるか否かを判定する構成であってもよい。
【００５８】
なお、両肩位置の検出は、頭部から下の一般的な体の構成要素であれば特に両肩に限定するものではない。例えば、首、肩位置、脇位置、臍位置などの特定部位や、首筋などといった肩や首の部分における体の輪郭であってもよい。さらに、両肩位置の検出は、公知の画像認識技術により検出する方法以外に、顔位置の検出と同様に、操作部６０からの指示入力により検出する構成であってもよい。
【００５９】
さらに、ステップＳ２４における判定は、図６（ｂ）に示すように、顧客の顔位置においてプリント規格を満たすとともに写真を生成する範囲であるトリミング枠Ｔを抽出した場合に、撮影範囲Ｗからはみ出る範囲Ｕがあるか否かを判定してもよい。この場合は、履歴書やパスポートなどのプリント規格を満たす写真を生成する画像が得られない場合においても警告して撮り直すことが可能となる。
【００６０】
以上のように、写真撮影装置１は、デジタルカメラ３０で撮影した顧客の顔を含む画像を表示部４０に表示し、その表示された画像における顔の両目位置の入力を操作部６０から受け付けて、その入力に基づいた顔位置に応じて撮影画像から写真を生成する画像としての可否の判定をおこなう。また、写真撮影装置１は、顔位置に応じた抽出や補正、又はデジタルカメラ３０における撮影位置の調節と再撮影を行なう。
このため、眼鏡の装着などによる画像認識の精度低下に起因することなく、より正確で簡易に証明写真のプリントを可能とする。
【００６１】
また、写真撮影装置１は、操作部６０から指定される顧客の顔位置及び又は／又は当該顔位置の撮影画像に対する傾きに応じて警告を行なう構成であるため、顧客に的確な指示をして、より正確な証明写真のプリントを可能とする。
【００６２】
また、写真撮影装置１は、一般的な体の特徴点である両肩位置を検出して、当該検出された両肩位置と操作部６０から指定される顧客の顔位置とによる顔の傾きに応じて撮影画像から写真を生成する画像としての可否を判定する構成であるため、顧客の顔の傾きのない、より正確な証明写真のプリントを可能とする。
【００６３】
また、写真撮影装置１は、デジタルカメラ３０による撮影画像から写真を生成する画像の抽出において、当該抽出する画像領域が撮影画像の領域からはみ出るか否かを判定する構成であるため、より正確な証明写真のプリントを可能とする。
【００６４】
なお、本実施の形態における記述は、本発明の一例を示すものであり、これに限定しない。本実施の形態における写真撮影装置１の細部構成及び細部動作に関しては、本発明の趣旨を逸脱しない範囲で適宜変更が可能である。例えば、撮影処理はデジタルカメラ３０で撮影した画像をリアルタイムに表示部４０に表示して、顧客に撮影画像を把握しやすい構成であって良い。
【００６５】
また、デジタルカメラ３０における撮影画像の顧客の顔位置及び／又は撮影画像に対する顧客の顔位置に応じた撮影位置の調整又は写真を生成する画像の抽出は、撮影位置又は抽出の両方を調整可能に行なう構成でもよいが、いずれか一方のみを行なう構成であっても良い。さらには、両方とも予め固定されており（ステップＳ２６における位置補正を行なわない）、ステップＳ２４における判定条件を厳しくし、ステップＳ２５において顧客に対して撮影時における撮影室Ｒ内での位置をガイダンス（警告）して、再撮影のみを行なう構成であってもよい。
【００６６】
また、警告表示は、表示部４０に表示する構成だけでなく、顧客に対して撮影時の問題箇所・再撮影の注意喚起を促すメッセージの音声出力であってもよい。
【図面の簡単な説明】
【００６７】
【図１】本発明である写真撮影装置１の構成の概略を示す図である。
【図２】写真撮影装置１の内部構成を模式的に示す図である。
【図３】写真撮影装置１で実行される撮影プリント処理を説明するフローチャートである。
【図４】写真撮影装置１で実行される撮影処理を説明するフローチャートである。
【図５】（ａ）は、顧客を撮影した撮影画像を例示する図であり、（ｂ）は、顧客の目を指定して顔位置及び／又は傾きの検出を例示する図である。
【図６】（ａ）は、顧客の体に対する顔の傾きの検出を例示する図であり、（ｂ）は、写真を生成する範囲の抽出時においてはみ出る範囲を例示する図である。
【図７】予め格納されるプリント規格に関して例示する図である。
【符号の説明】
【００６８】
１  写真撮影装置
１０  本体部
１１０  制御部（画像処理手段、調整手段、検出手段、判定手段）
１２０  Ｉ／Ｏユニット
１３０  ＲＯＭ
１４０  ＲＡＭ
１５０  ＤＶＤ
１６０  Ｉ／Ｆ
２０  ストロボユニット
２０ａ  ストロボ
３０  デジタルカメラ（撮影手段）
４０  表示部（表示手段）
５０  コインメック
５５  スピーカ
６０  操作部（指定手段）
７０  プリンタ部
７１  取出口
８０  通信部
Ａ  全幅
ＡＡ  位置
Ｂ  全長
ＢＢ、ＣＣ、ＤＤ  長さ
Ｃ  椅子
Ｅ１  右眼
Ｅ２  左眼
Ｈ  被写体
Ｍ  顧客
Ｐ  写真
Ｒ  撮影室
Ｓ  入室センサ
Ｔ  トリミング枠
Ｕ  範囲
Ｗ  撮影範囲
α  角度
【図１】
2006311276.tif 000003
【図２】
2006311276.tif 000004
【図３】
2006311276.tif 000005
【図４】
2006311276.tif 000006
【図５】
2006311276.tif 000007
【図６】
2006311276.tif 000008
【図７】
2006311276.tif 000009